(57)【要約】  【課題】コンテンツをダウンロードした地域と、コンテンツを使用する地域の時差が異なる場合、コンテンツの使用期限判定が正しく行われなく、コンテンツが不正使用される。  【解決手段】着信メール、又は着信電話から、サーバが立地する地域の標準時刻と時差情報を現地時刻情報として蓄積する現地時刻情報登録手段と、ダウンロードしたコンテンツに関する使用期限情報をコンテンツ情報として蓄積するコンテンツ情報蓄積手段と、コンテンツを使用する時にコンテンツ使用期限情報と現地時刻情報の時差を比較し、時差がある場合、コンテンツ使用期限の時差修正を行うコンテンツ使用期限変換手段を備えたことを特徴とする。【選択図】  図１
2005275832.tif 000002
【特許請求の範囲】
【請求項１】
使用期限付きのコンテンツをダウンロードして、再生するコンテンツ再生端末において、
メールの送受信、電話の発着信、コンテンツのダウンロード受信を行う送受信手段と、
前記送受信手段で受信したメールデータ、又は電話の制御データから、サーバが立地する地域の標準時刻と時差情報を抽出する現地時刻情報抽出手段と、
前記抽出した標準時刻と時差情報を現地時刻情報蓄積部に登録する現地時刻情報登録手段と、
選択したコンテンツとコンテンツ使用期限情報をサーバより取得し、コンテンツ情報蓄積部に登録するコンテンツ取得手段と、
前記取得したコンテンツの時差情報と前記現地時刻情報蓄積部に登録されている時差情報を比較し、両者が異なる場合、前記取得したコンテンツの使用期限の時差修正を行うコンテンツ使用期限変換手段と、
前記取得したコンテンツの使用期限と前記現地時刻情報蓄積部に登録されている標準時刻を比較し、前記標準時刻が使用期限に達していない場合、該コンテンツを再生するコンテンツ再生手段を備えたことを特徴とするコンテンツ再生端末。
【請求項２】
前記現地時刻情報抽出手段が取得した前記標準時刻にコンピュータ内蔵時計を補正する内蔵時計補正手段を備えたことを特徴とする請求項１記載のコンテンツ再生端末。
【請求項３】
前記時差情報はグリニッジを起点とした時差を表すタイムゾーンであることを特徴とする請求項１記載のコンテンツ再生端末。
【請求項４】
前記コンテンツ使用期限変換手段は、取得したコンテンツの時差情報と前記現地時刻情報蓄積部に登録されている時差情報を比較し、両者が異なる場合、現地時刻情報蓄積部に登録されている標準時刻の時差修正を行うことを特徴とする請求項１記載のコンテンツ再生端末。
【請求項５】
前記時差情報はサマータイムなどの季節によって時刻を補正する季節補正情報を含み、
前記コンテンツ使用期限変換手段は季節補正情報も考慮して時差修正を行うことを特徴とする請求項１又は請求項４記載のコンテンツ再生端末。
【請求項６】
前記コンテンツ使用期限情報はコンテンツ使用開始時刻も含み、
前記コンテンツ再生手段は、コンテンツの使用開始時刻と前記現地時刻情報蓄積部に登録されている標準時刻を比較し、標準時刻が前記使用開始時刻に達していれば、該コンテンツを再生することを特徴とする請求項１記載のコンテンツ再生端末。
【請求項７】
使用期限付きのコンテンツをダウンロードして、再生するコンテンツ再生方法において、
メールの送受信、電話の発着信、コンテンツのダウンロード受信を行う送受信ステップと、
前記送受信ステップで受信したメールデータ、又は電話の制御データから、サーバが立地する地域の標準時刻と時差情報を抽出する現地時刻情報抽出ステップと、
前記抽出した標準時刻と時差情報を現地時刻情報蓄積部に登録する現地時刻情報登録ステップと、
選択したコンテンツとコンテンツ使用期限情報をサーバより取得し、コンテンツ情報蓄積部に登録するコンテンツ取得ステップと、
前記取得したコンテンツの時差情報と前記現地時刻情報蓄積部に登録されている時差情報を比較し、両者が異なる場合、前記取得したコンテンツの使用期限の時差修正を行うコンテンツ使用期限変換ステップと、
前記取得したコンテンツの使用期限と前記現地時刻情報蓄積部に登録されている標準時刻を比較し、前記標準時刻が使用期限に達していない場合、該コンテンツを再生するコンテンツ再生ステップを備えたことを特徴とするコンテンツ再生方法。
【請求項８】
使用期限付きのコンテンツをダウンロードして、再生するコンテンツ再生プログラムにおいて、
メールの送受信、電話の発着信、コンテンツのダウンロード受信を行う送受信ステップと、
前記送受信ステップで受信したメールデータ、又は電話の制御データから、サーバが立地する地域の標準時刻と時差情報を抽出する現地時刻情報抽出ステップと、
前記抽出した標準時刻と時差情報を現地時刻情報蓄積部に登録する現地時刻情報登録ステップと、
選択したコンテンツとコンテンツ使用期限情報をサーバより取得し、コンテンツ情報蓄積部に登録するコンテンツ取得ステップと、
前記取得したコンテンツの時差情報と前記現地時刻情報蓄積部に登録されている時差情報を比較し、両者が異なる場合、前記取得したコンテンツの使用期限の時差修正を行うコンテンツ使用期限変換ステップと、
前記取得したコンテンツの使用期限と前記現地時刻情報蓄積部に登録されている標準時刻を比較し、前記標準時刻が使用期限に達していない場合、該コンテンツを再生するコンテンツ再生ステップを備えたことを特徴とするコンテンツ再生プログラム。
【発明の詳細な説明】
【技術分野】
【０００１】
本発明は、期限付きで使用を許可するコンテンツを時差の異なる地域において使用する場合の期限不正使用を防止するためのコンテンツ使用期限管理装置に関する。
【背景技術】
【０００２】
従来から、コンテンツの試用版が期間限定でパソコン雑誌や単行本の付録ＣＤ−ＲＯＭ、ＦＤとして提供されることがある。また、パソコンや携帯電話機などのネットに繋がる機器からコンテンツ提供業者のサイトより、使用したい（再生したい）コンテンツを選択して、選択したコンテンツをダウンロードする。それらのコンテンツは著作権保護のために使用者を限定したり、使用機器を限定したり、使用回数（再生回数）を限定したり、使用期限を限定したりする場合がある。例えば、使用機器を限定したものとして、携帯電話機からの着歌や着メロのダウンロードサービスがある。それらは著作権保護のために使用機器を限定しており、ダウンロードしたコンテンツを他の携帯電話機に一切、移動することはできずに、使用者にとっては使いにくいサービスとなっている。それらを解消するために、使用する機器は限定せずに使用回数や使用期限に制限をかけて、コンテンツを提供するサービスが検討されている。しかし、使用期限による制限をかける場合、不正使用者は期限が過ぎてもダウンロードしたコンテンツを使用するために、使用する機器側の内蔵時計の日付を後戻りさせて見かけ上、使用期限内にあるようにセットし、このコンテンツを使用させることがある。このようなことが多く行われれば、コンテンツ配信サービスを行っている提供者にとっては大きな損害を被ることになり、避けることができれば望ましい。そこで、コンテンツの使用期限をチェックする場合、使用する機器の内蔵時計に依存せずに、ネットから現在時刻を入手して使用期限チェックを行うことが特許文献１にも開示されている。
【特許文献１】特開平１１−８５５００号公報
【発明の開示】
【発明が解決しようとする課題】
【０００３】
しかしながら、携帯電話などでのコンテンツダウンロードサービスが盛んになり、また、コンテンツの配信サービスも自国内だけではなく、世界規模でのサービスが実施されることが予想される現在において、今後は自国でダウンロードしたコンテンツを、他国で使用する場合も多くなることが予想され、コンテンツをダウンロードした地域と、コンテンツを使用する地域の時差により、コンテンツの使用期限判定が正しく行われない場合、コンテンツが不正使用されるという課題がある。
【０００４】
本発明はこのような従来の問題点に鑑みてなされたものであり、コンテンツをダウンロードした地域と、コンテンツを使用する地域の時差がある場合であっても、コンテンツの使用期限をコンテンツを使用する地域の標準時間に合わせて、適切に変換することで、コンテンツの不正使用が行われないコンテンツ再生端末、コンテンツ再生方法、又はコンテンツ再生プログラムを提供することを目的とする。
【課題を解決するための手段】
【０００５】
請求項１の発明のコンテンツ再生端末は、メールの送受信、電話の発着信、コンテンツのダウンロード受信を行う送受信手段と、前記送受信手段で受信したメールデータ、又は電話の制御データから、サーバが立地する地域の標準時刻と時差情報を抽出する現地時刻情報抽出手段と、前記抽出した標準時刻と時差情報を現地時刻情報蓄積部に登録する現地時刻情報登録手段と、選択したコンテンツとコンテンツ使用期限情報をサーバより取得し、コンテンツ情報蓄積部に登録するコンテンツ取得手段と、前記取得したコンテンツの時差情報と前記現地時刻情報蓄積部に登録されている時差情報を比較し、両者が異なる場合、前記取得したコンテンツの使用期限の時差修正を行うコンテンツ使用期限変換手段と、前記取得したコンテンツの使用期限と前記現地時刻情報蓄積部に登録されている標準時刻を比較し、前記標準時刻が使用期限に達していない場合、該コンテンツを再生するコンテンツ再生手段を備えたことを特徴とする。
【０００６】
請求項２の発明のコンテンツ再生端末は、前記現地時刻情報抽出手段が取得した前記標準時刻にコンピュータ内蔵時計を補正する内蔵時計補正手段を備えたことを特徴とする。
【０００７】
請求項３の発明のコンテンツ再生端末は、前記時差情報はグリニッジを起点とした時差を表すタイムゾーンであることを特徴とする。
【０００８】
請求項４の発明のコンテンツ再生端末は、前記コンテンツ使用期限変換手段は、取得したコンテンツの時差情報と前記現地時刻情報蓄積部に登録されている時差情報を比較し、両者が異なる場合、現地時刻情報蓄積部に登録されている標準時刻の時差修正を行うことを特徴とする。
【０００９】
請求項５の発明のコンテンツ再生端末は、前記時差情報はサマータイムなどの季節によって時刻を補正する季節補正情報を含み、前記コンテンツ使用期限変換手段は季節補正情報も考慮して時差修正を行うことを特徴とする。
【００１０】
請求項６の発明のコンテンツ再生端末は、前記コンテンツ使用期限情報はコンテンツ使用開始時刻も含み、前記コンテンツ再生手段は、コンテンツの使用開始時刻と前記現地時刻情報蓄積部に登録されている標準時刻を比較し、標準時刻が前記使用開始時刻に達していれば、該コンテンツを再生することを特徴とする。
【００１１】
請求項７の発明のコンテンツ再生方法は、メールの送受信、電話の発着信、コンテンツのダウンロード受信を行う送受信ステップと、前記送受信ステップで受信したメールデータ、又は電話の制御データから、サーバが立地する地域の標準時刻と時差情報を抽出する現地時刻情報抽出ステップと、前記抽出した標準時刻と時差情報を現地時刻情報蓄積部に登録する現地時刻情報登録ステップと、選択したコンテンツとコンテンツ使用期限情報をサーバより取得し、コンテンツ情報蓄積部に登録するコンテンツ取得ステップと、前記取得したコンテンツの時差情報と前記現地時刻情報蓄積部に登録されている時差情報を比較し、両者が異なる場合、前記取得したコンテンツの使用期限の時差修正を行うコンテンツ使用期限変換ステップと、前記取得したコンテンツの使用期限と前記現地時刻情報蓄積部に登録されている標準時刻を比較し、前記標準時刻が使用期限に達していない場合、該コンテンツを再生するコンテンツ再生ステップを備えたことを特徴とする。
【００１２】
請求項８の発明のコンテンツ再生プログラムは、メールの送受信、電話の発着信、コンテンツのダウンロード受信を行う送受信ステップと、前記送受信ステップで受信したメールデータ、又は電話の制御データから、サーバが立地する地域の標準時刻と時差情報を抽出する現地時刻情報抽出ステップと、前記抽出した標準時刻と時差情報を現地時刻情報蓄積部に登録する現地時刻情報登録ステップと、選択したコンテンツとコンテンツ使用期限情報をサーバより取得し、コンテンツ情報蓄積部に登録するコンテンツ取得ステップと、前記取得したコンテンツの時差情報と前記現地時刻情報蓄積部に登録されている時差情報を比較し、両者が異なる場合、前記取得したコンテンツの使用期限の時差修正を行うコンテンツ使用期限変換ステップと、前記取得したコンテンツの使用期限と前記現地時刻情報蓄積部に登録されている標準時刻を比較し、前記標準時刻が使用期限に達していない場合、該コンテンツを再生するコンテンツ再生ステップを備えたことを特徴とする。
【発明の効果】
【００１３】
本発明によれば、コンテンツをダウンロードした地域の標準時刻で使用期限を設定されたコンテンツを時差のある他地域で再生しようとした時であっても、時差修正することで、コンテンツの使用期限を正しく判定することができ、コンテンツの不正使用を防ぐことができる。
また、コンテンツ再生地域の標準時間や時差情報をメール着信時、又は電話着信時に取得することにより、端末の負荷をかけることなく、コンテンツを再生する地域の標準時間や時差情報を取得することができる。
【００１４】
また本発明によれば、コンテンツ再生時にコンテンツを再生する地域の標準時間情報を取得できなくても、前回、取得した標準時間を基本にタイムカウントすることで、最新の標準時間を保持することができる。
【００１５】
また本発明によれば、コンテンツ再生時にコンテンツ再生する地域固有の標準時刻補正情報を加味して標準時刻を計算することで、サマータイムなどで標準時間が通常と異なる場合でも時差修正を確実に行える。
【００１６】
また本発明によれば、コンテンツに使用開始時刻が設定されていても、使用期限と同様に時差修正することで、コンテンツの使用開始時刻を正しく判定することができ、コンテンツの不正使用を防ぐことができる。
【発明を実施するための最良の形態】
【００１７】
（実施の形態１）
以下、本発明の実施の形態を図に基づいて説明する。図１は本発明の１つの実施の形態におけるシステム構成を示している。この実施の形態のシステムはコンテンツの配信、ユーザからの電話発信やユーザへの電話着信の制御を行うサーバ１と、サーバ１からコンテンツをダウンロード、電話やメールの発信・着信を行う携帯電話機２から構成される。
【００１８】
サーバ１は、電話やメールやコンテンツ配信を行う送受信部１０８と、コンテンツに関する情報を保存蓄積しているコンテンツ情報蓄積部１０２と、ユーザからの指示によりコンテンツを選択し、該コンテンツを送信するためのフォーマットに落とし込むコンテンツ処理部１０３と、ユーザからのメール受信要求により、保存しているメールを取り出し、送信するための処理を行うメール処理部１０４と、基地局から受信した通話データを網に流す着呼処理部１０５と、サーバ１が設置してある地域の標準時間と時差情報を記憶している時刻情報蓄積部１０６と、メールデータや通話データやコンテンツデータを送信する時にそれぞれのデータに前記標準時間や時差情報を付加する現地時刻情報付加部１０７から構成される。
【００１９】
携帯電話機２は、外部からの電話やメールの着信、外部への電話やメールの発信、コンテンツのダウンロード着信など、外部との通信の制御を行う送受信部１１７と、メールの送受信処理を行うメール処理部１１２と、電話の発着信処理を行う着呼処理部１１３と、着信メールや着信電話のデータから時差情報と標準時刻を抽出する現地時刻情報抽出部１１８と、前記抽出した時差情報と標準時刻を現地時刻情報蓄積部１２０に登録する現地時刻情報登録部１１９と、現地時刻情報蓄積部１２０の標準時刻を更新する内蔵時計補正部１１６と、ダウンロード指示してダウンロード完了したコンテンツとコンテンツ使用期限情報をコンテンツ情報蓄積部１１１に保存するコンテンツ取得部１０９と、保存したコンテンツの再生時に現在時刻（現地時刻情報蓄積部の標準時刻）がコンテンツに付加してある使用期限を越えていないかどうかを判断して、越えていない時にのみコンテンツを再生するコンテンツ再生部１１０と、コンテンツの時差情報とコンテンツを再生する地域の時差情報（現地時刻情報蓄積部に登録している時差情報）が異なる場合、時差換算テーブル１１５に基づいてコンテンツ使用期限をコンテンツを再生する地域の時刻に変換するコンテンツ使用期限変換部１１４から構成される。
【００２０】
次に、上記構成のサーバ１の動作について、図６のフローチャートに基づいて説明する。携帯電話２に送信指示されているデータがメールデータか、電話制御データか、コンテンツデータかを判断して（Ｓ６０１）、メールデータであれば、メール保存部に保存されているメールから携帯電話２で要求されているメールを抽出し、メールデータを生成する（Ｓ６０２）。携帯電話２に送信指示されているデータが電話制御データであれば、網に流すための電話制御データを生成する（Ｓ６０３）。携帯電話２に送信指示されているデータがコンテンツデータであれば、コンテンツ情報蓄積部１０２に登録されているコンテンツ情報を抽出し、コンテンツデータを生成する（Ｓ６０４）。
前記生成されたメールデータと、電話制御データと、コンテンツデータは時刻情報蓄積部１０６に保存されている標準時刻と英国グリニッジを基準としてどれだけ時差があるのかを識別したタイムゾーン情報を付加する（Ｓ６０５）。
【００２１】
次に、携帯電話機２の動作について、まず、図４のフローチャートに基づいて、メールを着信、又は電話を着信して、現地時刻情報蓄積部１２０に、現在位置している地域の標準時間と、時差情報を登録する処理について説明する。送受信部１１７で受信したデータがメールデータ、又は電話着信制御データであれば（Ｓ４０１）、メールデータ又は電話着信制御データに付加されている当地標準時刻とタイムゾーン情報を抽出し（Ｓ４０２）、抽出した当地標準時刻情報とタイムゾーン情報を現地時刻情報蓄積部１２０に登録する（Ｓ４０４）。
【００２２】
次に、図５のフローチャートに基づいて、ダウンロード指示したコンテンツをダウンロード受信して、コンテンツ情報蓄積部１１１にコンテンツ情報の登録、現地時刻情報蓄積部１２０に現地時刻情報を登録する処理について説明する。送受信部１１７で受信したデータがコンテンツデータであれば（Ｓ５０１）、受信したコンテンツデータからコンテンツの使用期限情報と、当地標準時刻と、タイムゾーン情報を抽出し（Ｓ５０２）、コンテンツデータと、使用期限情報とタイムゾーン情報をコンテンツ情報蓄積部１１１に登録する（Ｓ５０３）。また、当地標準時刻とタイムゾーン情報を現地時刻情報蓄積部１２０に登録する（Ｓ５０４）。
【００２３】
次に、ダウンロードしたコンテンツを再生する時に、コンテンツの使用期限を時差変換する処理について説明する。再生したいコンテンツを選択すると、コンテンツ情報蓄積部１１１から前記選択したコンテンツのタイムゾーン情報と、現地時刻情報蓄積部１２０のタイムゾーン情報を比較する。両者のタイムゾーン情報が同じであれば、コンテンツをダウンロードした地域とコンテンツを再生しようとしている地域に時差が無いため、コンテンツ情報蓄積部１１１に登録されているコンテンツの使用期限は時差変換する必要はない。
また、両者のタイムゾーン情報が異なる場合、コンテンツ情報蓄積部１１１に登録されている該コンテンツのタイムゾーンで時差換算テーブル１１５を検索し、時差を求める。また、同様にして、現地時刻情報蓄積部１２０のタイムゾーンで時差換算テーブル１１５で時差を求め、それぞれ求めた時差の差で、コンテンツの使用期限を再計算し、コンテンツを再生しようとしている現地時刻に換算した使用期限を算出する。
【００２４】
以上の処理により、コンテンツのタイムゾーン情報と、現地時刻情報蓄積部１２０のタイムゾーン情報が異なる場合（コンテンツの使用期限となっている地域のタイムゾーンと、コンテンツを再生しようとしている地域のタイムゾーンが異なる場合）における、コンテンツの使用期限を時差修正したので、両者を比較判定することが可能となった。
【００２５】
コンテンツの使用期限と現地時刻情報蓄積部１２０の当地標準時刻を比較して、当地標準時刻がコンテンツの使用期限を超えていない場合、該コンテンツの再生を行う。また、当地標準時刻がコンテンツの使用期限を超えている場合、該コンテンツの使用期限は切れているので、該コンテンツの再生はできない。その時、携帯電話の表示画面に「選択されたコンテンツの使用期限は切れていますので、再生はできません」等のメッセージを表示する。
【００２６】
なお上記では、コンテンツの使用期限を時差変換する処理について説明したが、コンテンツの使用期限ではなく当地標準時刻を時差変換することにより、両者の比較判定を行うことも可能である。以下、図２と図３のフローチャートに基づいて、ダウンロードしたコンテンツを再生する時に、現地時刻情報蓄積部に登録されている標準時刻を時差変換する処理について説明する。
再生したいコンテンツを選択すると（Ｓ２０１）、コンテンツ情報蓄積部１１１から前記選択したコンテンツのタイムゾーン情報と、現地時刻情報蓄積部１２０のタイムゾーン情報を比較する（Ｓ２０２）。両者のタイムゾーン情報が同じであれば、コンテンツをダウンロードした地域とコンテンツを再生しようとしている地域に時差が無いため、現地時刻情報蓄積部に登録されている標準時刻は時差変換する必要はない。
また、両者のタイムゾーン情報が異なる場合、コンテンツ情報蓄積部１１１に登録されている該コンテンツのタイムゾーンで時差換算テーブル１１５を検索し、時差を求める。また、同様にして、現地時刻情報蓄積部１２０のタイムゾーンで時差換算テーブル１１５で時差を求め、それぞれ求めた時差の差で、現地時刻情報蓄積部に登録されている標準時刻の時差修正を行い、コンテンツ取得国の現在時刻を算出する。
【００２７】
以上の処理により、コンテンツのタイムゾーン情報と、現地時刻情報蓄積部１２０のタイムゾーン情報が異なる場合（コンテンツの使用期限となっている地域のタイムゾーンと、コンテンツを再生しようとしている地域のタイムゾーンが異なる場合）における、標準時刻を時差修正したので、両者を比較判定することが可能となった。
【００２８】
コンテンツの使用期限とコンテンツ取得国の現在時刻を比較して（Ｓ２０４）、コンテンツ取得国の現在時刻がコンテンツの使用期限を超えていない場合、該コンテンツの再生を行う（Ｓ２０５）。また、コンテンツ取得国の現在時刻がコンテンツの使用期限を超えている場合、該コンテンツの使用期限は切れているので、該コンテンツの再生はできない。その時、携帯電話の表示画面に「選択されたコンテンツの使用期限は切れていますので、再生はできません」等のメッセージを表示する（Ｓ２０６）。
【００２９】
次に、日本でダウンロードしたコンテンツを英国で再生しようとした時の具体的な処理について、図１から図１１を使用して説明する。なお、英国において、メール着信、電話着信の後にコンテンツを再生するストーリーで説明を行う。
最初に日本において、携帯電話２を使ってコンテンツをダウンロードする処理について説明する。コンテンツ取得部１０９より希望コンテンツのダウンロード指示をすると、送受信部１１７よりコンテンツダウンロード指示が送信され、サーバ１の送受信部１０８は、前記コンテンツダウンロード指示を受信し、コンテンツ処理部１０３は指示されたコンテンツと使用期限情報をコンテンツ情報蓄積部１０２より抽出し、コンテンツ（１１０９）と使用期限（１１１０）をコンテンツ送信バッファにセットする。また、現地時刻情報付加部１０７は時刻情報蓄積部１０６の当地標準時刻（１１０７）と、タイムゾーン（１１０８）をコンテンツ送信バッファにセットする（図１１（ｃ））。前記コンテンツ送信バッファにセットされたコンテンツデータは送受信部１０８より送信される。
【００３０】
携帯電話機２の送受信部１１７はサーバ１から送信されたコンテンツデータ（図１１（ｃ））を受信すると、コンテンツ取得部１０９は取得したコンテンツデータのコンテンツ（１１０９）と、コンテンツの使用期限（１１１０）と、タイムゾーン（１１０８）をコンテンツ情報蓄積部１１１に登録する。また、当地標準時刻（１１０７）と、タイムゾーン（１１０８）は現地時刻情報蓄積部１２０に登録する。なお、コンテンツ情報蓄積部１１１のタイムゾーン（９０５）は”２（日本）”、コンテンツ使用期限（９０４）は”２００４年２月１１日１０時００分”、現地時刻情報蓄積部１２０のタイムゾーン（１００１）は”２（日本）”、当地標準時刻は”２００３年１１月３日１５時００分”となる。
【００３１】
次に、携帯電話機２の使用者が英国に出張して、メール受信を行い、英国にあるサーバ１に保存されているメールを携帯電話２に受信した場合に、現地時刻情報蓄積部１２０の当地標準時刻（日本の標準時刻）が英国の標準時刻に更新される処理について説明する。
携帯電話機２において、メール受信処理を行うと、サーバ１のメール処理部１０４は保存しているメールから該当メールを抽出し、メール送信バッファにメールデータ（１１０３）をセットする。さらに、現地時刻情報付加部１０７は時刻情報蓄積部１０６の当地標準時刻（１１０１）と、タイムゾーン（１１０２）をメール送信バッファ（図１１（ａ））にセットし、送受信部１０８より送信される。前記サーバ１より送信されたメールを携帯電話機２の送受信部１１７は受信すると、現地時刻情報抽出部１１８はメールデータに付与されている当地標準時刻（１１０１）とタイムゾーン（１１０２）を抽出し、現地時刻情報登録部１１９は現地時刻情報蓄積部１２０の当地標準時刻（１００２）とタイムゾーン（１００１）を更新する。以上の処理により、現地時刻情報蓄積部１２０のタイムゾーンと当地標準時刻は日本のタイムゾーンと日本の標準時刻が登録されたが、更新処理により英国のタイムゾーンと英国の標準時刻に更新された。なお、現地時刻情報蓄積部１２０のタイムゾーン（１００１）は”１（英国）”、当地標準時刻は”２００４年２月１１日９時３０分”となる。
【００３２】
同様にして、携帯電話機２に電話着信すると電話制御データ（図１１（ｂ））にセットされている英国のタイムゾーン（１１０５）と、英国の標準時刻（１１０４）が現地時刻情報蓄積部１２０の当地標準時刻（１００２）とタイムゾーン（１００１）に更新され、タイムゾーン（１００１）は”１（英国）”、当地標準時刻は”２００４年２月１１日９時４０分”となる。
【００３３】
次に、携帯電話機２の使用者が英国に滞在中に携帯電話機２のコンテンツ情報蓄積部１１１に登録されている、日本で取得したコンテンツを再生する場合にコンテンツの使用期限を判定して再生判定を行う処理について説明する。コンテンツ再生部１１０で再生したいコンテンツを選択すると、コンテンツ情報蓄積部１１１に登録されている該コンテンツのタイムゾーン（９０５）と、現地時刻情報蓄積部１２０に登録されているタイムゾーン（１００１）を比較する。この場合、該コンテンツのタイムゾーンは”２（日本）”で、現地時刻情報蓄積部１２０に登録されているタイムゾーンは”１（英国）”なので、両者を比較した結果、タイムゾーンは異なるため、コンテンツ使用期限変換部１１４により、コンテンツの使用期限”２００４年２月１１日１０時００分”を英国時間に変換処理を行う。時差換算テーブル１１５に登録されている英国の時差は”０時間”、日本の時差は”９時間”となり、日本と英国の時差を計算すると９時間になる。また、該コンテンツの使用期限（９０４）は２００４年２月１１日１０時００分なので、前記算出した時差の９時間を減算すると、コンテンツの使用期限は英国時間で２００４年２月１１日１時００分となる。
これで、コンテンツの使用期限は日本時間から英国時間に変換されたことになり、該コンテンツの使用期限と現地時刻情報蓄積部１２０の英国の標準時刻（１００２）と比較すると、英国の標準時刻２００４年２月１１日９時４０分は、該コンテンツの使用期限２００４年２月１１日１時００分に達しているため、該コンテンツは再生をすることができない。
【００３４】
これによって、コンテンツを取得した地域とコンテンツを再生する地域のタイムゾーンが異なる場合においても、コンテンツを再生する地域の時差を換算して、コンテンツ使用期限を計算することで、コンテンツ使用期限を正確に判断することが可能となる。
なお、コンテンツ使用期限変換手段は、再生しようとしているコンテンツの時差情報（タイムゾーン）と現地時刻情報蓄積部に登録されている時差情報（タイムゾーン）を比較し、両者が異なる場合、現地時刻情報蓄積部に登録されている標準時刻の時差修正を行うようにしてもよい。
【００３５】
また、時差情報はサマータイムなどの季節によって時刻を補正する季節補正情報を含み、コンテンツ使用期限変換手段は季節補正情報も考慮して時差修正を行うようにしてもよい。
【００３６】
また、コンテンツ使用期限情報はコンテンツ使用開始時刻も含み、コンテンツ再生手段は、コンテンツの使用開始時刻と前記現地時刻情報蓄積部に登録されている標準時刻を比較し、標準時刻が前記使用開始時刻に達していれば、該コンテンツを再生するようにしてもよい。
【００３７】
また、本実施の形態においては端末からの要求に応じてコンテンツを配信するコンテンツサーバ、メールを蓄積して端末からの受信要求でメールを送信するメールサーバ、基地局からの通話情報を電話網に送り出す中継局を１つのサーバとして説明したが、それぞれは個別に存在してもかまわない。
【００３８】
また本機能は汎用プログラムとして単体で用意し、種々のアプリケーションプログラムに少しのプログラム変更によって組み込むことができるようにすれば、独立した期間切れ不正使用防止ソフトウェアとしてアプリケーションソフトウェアの開発者や販売者に販売することもできるようになる。
【産業上の利用可能性】
【００３９】
本発明にかかるコンテンツ再生端末、及びコンテンツ再生方法、及びコンテンツ再生プログラムはコンテンツ配信サービスを行うシステムにおいて、提供したコンテンツをダウンロードして利用する端末に適用できる。
【図面の簡単な説明】
【００４０】
【図１】本発明の１つの実施の形態の機能ブロック図。
【図２】上記の実施の形態（携帯電話機）におけるコンテンツ再生部の処理フローチャート。
【図３】上記の実施の形態（携帯電話機）におけるコンテンツ使用期限変換部の処理フローチャート。
【図４】上記の実施の形態（携帯電話機）におけるメール受信、電話着呼時の処理フローチャート。
【図５】上記の実施の形態（携帯電話機）におけるコンテンツダウンロード受信時の処理フローチャート。
【図６】上記の実施の形態（サーバ）における処理フローチャート。
【図７】上記の実施の形態（携帯電話機）における現地時刻補正部の処理フローチャート。
【図８】上記の実施の形態（携帯電話機）における時差変換テーブルのテーブル構成図。
【図９】上記の実施の形態（携帯電話機）におけるコンテンツ情報のテーブル構成図。
【図１０】上記の実施の形態（携帯電話機）における現地時刻情報のテーブル構成図。
【図１１】上記の実施の形態（サーバ）の時差情報付加部で時差情報を付加したメールデータ、電話制御データ、コンテンツデータのデータ構成図。
【符号の説明】
【００４１】
１００  サーバ
１０１  携帯電話
１０２  コンテンツ情報蓄積部
１０３  コンテンツ処理部
１０４  メール処理部（サーバ側）
１０５  着呼処理部（サーバ側）
１０６  時刻情報蓄積部
１０７  現地時刻情報付加部
１０８  送受信部（サーバ側）
１０９  コンテンツ取得部
１１０  コンテンツ再生部
１１１  コンテンツ情報蓄積部
１１２  メール処理部（携帯電話機側）
１１３  着呼処理部（携帯電話機側）
１１４  コンテンツ使用期限変換部
１１５  時差換算テーブル
１１６  内蔵時計補正部
１１７  送受信部（携帯電話機側）
１１８  現地時刻情報抽出部
１１９  現地時刻情報登録部
１２０  現地時刻情報蓄積部
【図１】
2005275832.tif 000003
【図２】
2005275832.tif 000004
【図３】
2005275832.tif 000005
【図４】
2005275832.tif 000006
【図５】
2005275832.tif 000007
【図６】
2005275832.tif 000008
【図７】
2005275832.tif 000009
【図８】
2005275832.tif 000010
【図９】
2005275832.tif 000011
【図１０】
2005275832.tif 000012
【図１１】
2005275832.tif 000013